(57)【要約】【課題】  災害発生時における電力消費を低減することができるテレビジョン受像機、及び放送送信機を提供する。【解決手段】  放送局からの放送波を受信する放送波受信手段１３と、前記放送波受信手段１３で受信した放送波に含まれる、緊急警報放送を通知する警報信号を検出する信号検出手段１２と、前記信号検出手段１２による前記警報信号の検出に伴い、表示ディスプレイに電力を供給する電力供給手段３２と、前記信号検出手段１２による前記警報信号の検出時に、前記電力供給手段で電力を供給する前記表示ディスプレイに前記緊急警報放送を表示させる表示手段２４と、前記信号検出手段１２による前記警報信号の検出に伴い、ネットワークを介して外部機器に電源を切るコマンドを送信するネットワーク通信手段３５とを備える。【選択図】      図１
2009232363.tif 000002
【特許請求の範囲】
【請求項１】
放送局からの放送波を受信する放送波受信手段と、
前記放送波受信手段で受信した放送波に含まれる、緊急警報放送を通知する警報信号を検出する信号検出手段と、
前記信号検出手段による前記警報信号の検出に伴い、表示ディスプレイに電力を供給する電力供給手段と、
前記信号検出手段による前記警報信号の検出時に、前記電力供給手段で電力を供給する前記表示ディスプレイに前記緊急警報放送を表示させる表示手段と、
前記信号検出手段による前記警報信号の検出に伴い、ネットワークを介して外部機器に電源を切るコマンドを送信するネットワーク通信手段と
を備えることを特徴とするテレビジョン受像機。
【請求項２】
電源を切る外部機器を指定するための入力を受ける入力手段を更に具備し、
前記ネットワーク通信手段は、前記信号検出手段による前記警報信号の検出に伴い、前記入力手段からの入力により指定された外部機器に前記電源を切るコマンドを送信すること
を特徴とする請求項１記載のテレビジョン受像機。
【請求項３】
前記入力手段は、電源を切ってから再び電源を入れるまでの電源オフ時間を指定するための入力を受け、
前記ネットワーク通信手段は、前記電源を切るコマンドの送信後から、前記入力手段からの入力により指定された前記電源オフ時間の経過に伴い、外部機器に電源を入れるコマンドを送信すること
を特徴とする請求項２記載のテレビジョン受像機。
【請求項４】
前記信号検出手段は、前記放送波受信手段で受信した放送波に含まれる、前記警報信号の受信から前記表示ディスプレイへの電力供給開始までの待機時間を指定する待機時間指定信号を検出し、
前記電力供給手段は、前記信号検出手段による前記警報信号の検出から、前記待機時間指定信号で指定された待機時間の経過に伴い、前記表示ディスプレイに電力を供給すること
を特徴とする請求項３記載のテレビジョン受像機。
【請求項５】
放送番組を表示するディスプレイと、
放送局からの放送波を受信するアンテナと、
前記アンテナで受信した放送波に含まれる、緊急警報放送を通知する警報信号を検出する信号検出部と、
前記信号検出部による前記警報信号の検出に伴い、前記ディスプレイに電力を供給する電力供給部と、
前記信号検出部による前記警報信号の検出に伴い、ネットワークを介して外部機器に電源を切るコマンドを送信するネットワーク通信部と
を備えることを特徴とするテレビジョン受像機。
【請求項６】
電源を切る外部機器を指定するための入力を受ける入力部を更に具備し、
前記ネットワーク通信部は、前記信号検出部による前記警報信号の検出に伴い、前記入力部からの入力により指定された外部機器に前記電源を切るコマンドを送信すること
を特徴とする請求項５記載のテレビジョン受像機。
【請求項７】
前記入力部は、電源を切ってから再び電源を入れるまでの電源オフ時間を指定するための入力を受け、
前記ネットワーク通信部は、前記電源を切るコマンドの送信後から、前記入力部からの入力により指定された前記電源オフ時間の経過に伴い、外部機器に電源を入れるコマンドを送信すること
を特徴とする請求項６記載のテレビジョン受像機。
【請求項８】
前記信号検出部は、前記アンテナで受信した放送波に含まれる、前記警報信号の受信から前記ディスプレイへの電力供給開始までの待機時間を指定するための待機時間指定信号を検出し、
前記電力供給部は、前記信号検出手段による前記警報信号の検出から、前記待機時間指定信号で指定された待機時間の経過に伴い、前記ディスプレイに電力を供給すること
を特徴とする請求項７記載のテレビジョン受像機。
【請求項９】
放送波を受信する受信機に、緊急放送を通知する警報信号の受信から受信機の表示ディスプレイへの電力供給開始まで待機させる時間を指定するための待機時間指定信号を生成する信号生成手段と、
前記信号生成手段で生成した前記待機時間指定信号および前記警報信号を含む放送波を送信する放送波送信手段と
を備えることを特徴とする放送送信機。
【請求項１０】
前記信号生成手段は、プログラムマップテーブル内の緊急情報子に、前記待機時間に関する情報を書き込むことで前記待機時間指定信号を生成すること
を特徴とする請求項９記載の放送送信機。
【発明の詳細な説明】
【技術分野】
【０００１】
本発明は、テレビジョン受像機および放送送信機に関する。
【背景技術】
【０００２】
近年、地震や台風などの災害発生時に、デジタルテレビ放送局では緊急警報放送が送信されると共に、この緊急警報放送を通知するための緊急警報信号が送信される。そして、このような緊急警報放送や緊急警報信号等が受信可能なデジタルテレビジョン受像機では、緊急警報信号の検出に伴って緊急警報放送番組を選局する機能が搭載されている。
【０００３】
また、このようなデジタルテレビジョン受像機の中には、電力消費を低減すると共に、緊急警報放送を受信可能とする機能を備えたデジタルテレビジョン受像機がある。
【０００４】
例えば、特許文献１には、受信機全体のうち、復調部を含む一部の構成を除いた構成の電源をオフ状態とし、緊急放送が開始されたことを表す情報が復調部によって検出されたことに応じて全体の電源をオン状態にすることによって、電力の消費を抑えつつ、緊急放送をユーザによる操作によらずに自動的に受信することができる受信装置が開示されている。
【特許文献１】特開２００７−２４３３８３号公報
【発明の開示】
【発明が解決しようとする課題】
【０００５】
しかしながら、特許文献１に示す装置では、災害発生時における電力消費を低減することについて考慮されていない。
災害発生時に災害地域の放送局から緊急警報放送番組が放送されると、災害地域の各家庭に設置されているデジタルテレビジョン受像機などの緊急警報放送受信対応の電気機器が、一斉に電源を入れることが予想される。従って、災害発生時にこれらの電気機器の起動処理による電力負荷が集中し、配電設備からの電源供給が不十分となる可能性がある。
【０００６】
そこで、本発明は、災害発生時における電力消費を低減することができるテレビジョン受像機、及び放送送信機を提供することを目的とする。
【課題を解決するための手段】
【０００７】
上記目的を達成するために、本発明は、放送局からの放送波を受信する放送波受信手段と、前記放送波受信手段で受信した放送波に含まれる、緊急警報放送を通知する警報信号を検出する信号検出手段と、前記信号検出手段による前記警報信号の検出に伴い、表示ディスプレイに電力を供給する電力供給手段と、前記信号検出手段による前記警報信号の検出時に、前記電力供給手段で電力を供給する前記表示ディスプレイに前記緊急警報放送を表示させる表示手段と、前記信号検出手段による前記警報信号の検出に伴い、ネットワークを介して外部機器に電源を切るコマンドを送信するネットワーク通信手段とを備えることを特徴とする。
【発明の効果】
【０００８】
本発明によれば、災害発生時における電力消費を低減することができるテレビジョン受像機、及び放送送信機を提供することができる。
【発明を実施するための最良の形態】
【０００９】
以下、本発明の通信装置について、図面を参照しながら説明する。
まず、図１を参照して、本発明の一実施形態に係るテレビジョン受像機の構成を説明する。本実施形態のテレビジョン受像機は、例えば、放送局１からの地上波デジタル放送を受信すると共に、エアコン２００、ヒータ３００、炊飯器４００、および冷蔵庫５００等の他の電気機器への電力供給を制御する電源統括部１５０とのネットワーク接続が可能なデジタルテレビ受信機１００から実現されている。
【００１０】
このデジタルテレビ受信機１００には、緊急警報放送発令システム（ＥＷＳ：Ｅｍｅｒｇｅｎｃｙ  Ｗａｒｎｉｎｇ  Ｓｙｓｔｅｍ）に対応する機能として、地震や津波等の非常災害時に放送局から発信される緊急警報信号の検出に伴い、緊急警報放送を選局・受信する機能が設けられている。
【００１１】
また、デジタルテレビ受信機１００は、緊急警報信号の検出から所定時間待機した後にディスプレイの電源を入れ、当該ディスプレイに緊急警報放送を表示させる機能や、緊急警報信号の検出に伴い、他の電気機器の電源を切る電源オフコマンドを主電源１７０と接続された電源統括部１５０に送信する機能を有する。
【００１２】
これらの機能を備えることで、本実施例のデジタルテレビ受信機１００では、災害発生時における電力消費の低減化を実現する。
尚、本実施例では、主電源１７０と接続された電源統括部１５０にコマンドを送信することで他の電気機器への電力供給を制御するが、例えばＬＡＮやＨＤＭI（Ｈｉｇｈ−Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）等によるネットワーク接続を行い、各電気機器に制御信号を其々送信することで電源オン・オフの処理を実行しても良いものとする。
【００１３】
次に、図２を参照し、本実施例のデジタルテレビ受信機１００のシステム構成について説明する。図２は、本発明における実施例としてのデジタルテレビ受信機１００の内部構成を示したブロック図である。
【００１４】
デジタルテレビ受信機１００は、地上波デジタル放送に対応し、受信部１０、出力処理部２０及び電源制御部３０等を備える。
受信部１０は、受信手段の一例を構成し、緊急警報信号を受信して緊急警報放送を選局するものである。受信部１０は、例えばチューナ部１１及び通知信号検出部１２等を備える。
【００１５】
チューナ部１１は、アンテナ１３に接続され、放送局１から送信されるデジタル放送番組や災害発生時の緊急警報放送を選局・受信する。例えば、地上波デジタル放送による放送信号は、アンテナ１３で受信され、内蔵のコンバータ（図示していない）によって所定の高周波信号に変換されてチューナ部１１に供給される。
【００１６】
チューナ部１１は、制御部３１からの制御信号に基づき、キャリア（受信周波数）の選択・受信を行う。また、チューナ部１１では、制御信号で指定されたキャリアに対して復調処理や誤り訂正処理等を施すことで、トランスポートストリーム（ＴＳ：Ｔｒａｎｓｐｏｒｔ  Ｓｔｒｅａｍ）を得る。
【００１７】
ここで、デジタル放送の規格によるトランスポートストリームは、例えばＭＰＥＧ２（Ｍｏｖｉｎｇ  Ｐｉｃｔｕｒｅ  Ｅｘｐｅｒｔｓ  Ｇｒｏｕｐ  Ｌａｙｅｒ２）方式によって、複数の放送プログラムのビデオ信号及びオーディオ信号を圧縮した圧縮データと、各種の付加情報とが多重化されている。また、放送局１が挿入する付加情報としてＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）などのテーブルを格納する番組特定情報（ＰＳＩ：Ｐｒｏｇｒａｍ  Ｓｐｅｃｉｆｉｃ  Ｉｎｆｏｒｍａｔｉｏｎ）などが挙げられる。
【００１８】
各情報の多重化は、例えばトランスポートストリームを１８８バイトのトランスポートストリーム・パケット（以下、ＴＳパケットと称する）で形成し、このＴＳパケットに対して各種付加情報を格納することにより行われる。
【００１９】
通知信号検出部１２は、チューナ部１１に接続され、緊急警報放送発令システムにおいて放送局１が発信する緊急警報信号を検出する。例えば、緊急警報放送が放送された場合、放送局１が専用のサブチャンネルを介して緊急警報信号（以下、ＥＷＳ信号と称する）を送信するが、デジタルテレビ受信機１００では、受信部１０によってこのサブチャンネルを確認し、ＥＷＳ信号を検知する。
【００２０】
本実施例の通知信号検出部１２では、例えば、チューナ部１１で取得する番組特定情報に含まれる伝送制御信号（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）の起動ビット値を参照し、当該値が所定値となっているか否かを判別することでＥＷＳ信号を検出する。また、通知信号検出部１２は、ＥＷＳ信号を検出した場合、制御部３１にＥＷＳ検出通知を出力する。
【００２１】
尚、デジタルテレビ受信機１００では、電源がオフの状態であっても、サブチャンネルの通知信号を検知できるように、受信部１０には別途電源を供給（図示していない）し、通知信号検出部１２では常時、ＥＷＳ信号の検出が可能であるものとする。
【００２２】
出力処理部２０は、受信部１０によって選局された緊急警報放送を出力する。出力処理部２０は、例えばデマルチプレックス部２１、音声デコーダ２２、スピーカ２３、映像デコーダ２４、及びＬＣＤ（Ｌｉｑｕｉｄ  Ｃｒｙｓｔａｌ  Ｄｉｓｐｌａｙ）２５等を備えている。
【００２３】
デマルチプレックス部２１は、トランスポートストリームから特定のＴＳパケットを分離する。これによりデマルチプレックス部２１では、特定の放送番組についてのビデオデータ、オーディオデータを取得する。また、デマルチプレックス部２１は、制御部３１のコマンドの下、番組特定情報を取得する。
【００２４】
音声デコーダ２２は、デマルチプレックス部２１で分離・取得された特定の放送番組についてのオーディオデータのデコード処理を行い、スピーカ２３に出力する。映像デコーダ２４は、デマルチプレックス部２１で分離・取得された特定の放送番組についてのビデオデータのデコード処理を行い、ＬＣＤ２５に出力する。
【００２５】
電源制御部３０は、受信部１０によるＥＷＳ信号の検出に伴って出力処理部２０への供給電力を制御する。また、電源制御部３０は、制御部３１、電源供給部３２、及びデータベース３３等を備える。
【００２６】
制御部３１は、出力処理部２０への電源供給がオフの状態である状態で通知信号検出部１２からのＥＷＳ信号検出通知を受けると、電源供給部３２にコマンドを出力して出力処理部２０への電源供給を実行させると共に、チューナ部１１に制御信号を出力し、緊急警報放送の選局を実行させる。
【００２７】
また、本実施例における制御部３１は、ＥＷＳ信号検出通知の受信から待機時間が経過するまで、電源供給部３２による出力処理部２０への電源供給を待機させる機能を有する。本実施例では、当該待機時間をユーザからの入力により設定したり、或いは放送局１からの放送波に含まれる情報に基づいて設定したりする。尚、放送局１からの放送波に含まれる情報については、図６を参照して後述する。
【００２８】
また、制御部３１は、ＥＷＳ信号の検出に伴い、他の電気機器の電源を切るコマンドを電源統括部１５０に送信する。更に、制御部３１は、電源オフコマンドの送信から所定時間の経過に伴い、電源を切った他の電気機器の電源を再度入れる電源オンコマンドを電源統括部１５０に送信する。
【００２９】
尚、本実施例では、当該待機している時間であっても、例えばデジタルテレビ受信機１００に備えられたＬＥＤ等（図示していない）を点灯させることで、ユーザに対して緊急警報放送が放送されていることを示すことができるようにしても良い。
【００３０】
電源供給部３２は、制御部３１からのコマンドを受けて出力処理部２０に電圧を印加する。データベース３３は、インタフェース部３４から入力された、待機時間や電源オフコマンドの送信対象の電気機器等に関する情報を格納・管理する。この管理形式については、図３を参照して後述する。
【００３１】
インタフェース部３４は、ユーザからの操作入力を受けるための操作キーや、リモートコントローラからのコマンドを受信する赤外線受信部等などを備える。
ネットワーク通信部３５は、ＬＡＮやＨＤＭI−ＣＥＣ等で電源統括部１５０とネットワーク接続する。また、ネットワーク通信部３５は、制御部３１からの電源オフコマンド、及び電源オンコマンドを電源統括部１５０に送信する。
【００３２】
次に、図３を参照して、本実施例におけるデータベース３３に格納された他の電気機器に関する情報の管理形式について説明する。図３は、本実施例のデータベース３３に格納された他の電気機器に関する情報を管理するテーブルである。
【００３３】
本実施例では、例えば、電源統括部１５０と接続する他の電気機器について、災害発生時に電源を切って電力供給を止めるか否かの設定、また、一度電力供給を止めてから再び電源を立ち上げ直すまでの時間について設定ができるようになっている。尚、ここでは災害発生時に電源を切る電気機器は、災害発生時に電源を切る設定の欄に「○」が書き込まれる。
【００３４】
図３では、災害発生時に電源を切る電気機器としてエアコン２００、ヒータ３００、炊飯器４００等を設定した例を示す。これらの電気機器への電力供給は、デジタルテレビ受信機１００がＥＷＳ信号を検知した際に発信する電源オフコマンドを受けて、電源統括部１５０により止められる。
【００３５】
また、これらの電気機器には、電源統括部１５０によって電源が切られた後、再度電源を立ち上げ直すまでの時間が設定されている。例えば、図３に示すようにエアコン２００、ヒータ３００、および炊飯器４００には、再度電源を入れ直すまでの時間として其々２時間、３時間、および３０分等の時間が設定されている。例えばエアコン２００では、デジタルテレビ受信機１００がＥＷＳ信号を検知した際、電源統括部１５０によって一度電源を切られるが、２時間後に再起動される。
【００３６】
デジタルテレビ受信機１００では、電源オフコマンドの送信後にデータベース３３を参照し、各電気機器における再度電源を入れるまでの時間を読み出す。そして、電源オフコマンドの送信から当該時間の経過後、其々の電気機器に再度電源を入れる電源オンコマンドを送信する。
【００３７】
このように、本実施例では、電源統括部１５０と接続する他の電気機器において、災害発生時に電力供給を止める対象機器と電力供給を止めておく時間とを設定することができる。
【００３８】
次に、図４を参照して、本実施例における電源統括部１５０による電源制御方法について説明する。図４は、本実施例における電源統括部１５０の内部構成の一例を示す。
【００３９】
電源統括部１５０は、例えばデジタルテレビ受信機１００からのコマンドを受ける受信部１５１と、受信部１５１で受けたコマンドを解析するコマンド解析部１５２と、主電源１７０から各電気機器への電力供給回線を開閉するスイッチ部１５３とから構成される。
【００４０】
受信部１５１は、電源オフコマンド及び電源オンコマンドを受けると共に、コマンド解析部１５２に各コマンドを出力する。
コマンド解析部１５２は、受信部１５１で受けたコマンドを解析し、スイッチ部１５２に対し、電源オフコマンドで指定される各電気機器への電力供給回線のオフ要求、または電源オンコマンドで指定される各電気機器への電力供給回線のオン要求を出力する。
【００４１】
スイッチ部１５３は、コマンド解析部１５２からの回線オン要求または回線オフ要求に応じて、指定された電気機器への電力供給回線のスイッチ開閉を実行する。
このように本実施例では、電源統括部１５０と接続する各電気機器への電力供給をコントロールできる。
また、本実施例のデジタルテレビ受信機１００は、緊急警報信号の検出から所定時間待機した後にディスプレイの電源を入れ、当該ディスプレイに緊急警報放送を表示させる機能を備える。この待機時間は、ユーザの入力により設定される時間を採用しても良いが、放送局１からＰＭＴ内の緊急情報子に書き込まれた情報により指定された時間を採用しても良い。以下では、図５及び図６を参照して、本実施例における放送局１の構成および放送局１による待機時間指定方法について説明する。
【００４２】
図５は、本実施例における放送局１の構成を簡略的に示した図である。図６は、本実施例におけるＰＭＴ内の緊急情報子を利用した待機時間指定方法を示す図である。本実施例の放送局１は、例えば、放送波として放送するビデオデータ及びオーディオデータ等を入力する放送番組データ入力部６０１、入力されたビデオデータ及びオーディオデータ等を符号化するエンコーダ６０２、ＥＷＳ信号を含む番組特定情報を生成する番組特定情報生成部６０３、符号化された放送データと番組特定情報とを多重化するマルチプレクサ６０４、及び放送波を送信する送信部６０５等で構成される。
【００４３】
本実施例の放送局１では、例えば、災害発生時の緊急警報放送番組を放送する際、当該緊急警報放送番組を構成するビデオデータ、オーディオデータをエンコーダ６０２により、圧縮符号化して送信する情報量を削減し、マルチプレクサ６０４により、当該圧縮符号化した放送番組に番組特定情報を多重化した後に送信する。
【００４４】
また、本実施例の放送局１では、例えば、災害の規模の大きさや発生地域を考慮し、番組特定情報内に緊急警報放送受信対応の電気機器における入れ時間を分散させるための待機時間指定情報を書き込む機能を備える。これにより、災害地域の各家庭における緊急警報放送受信対応の電気機器が一斉に電源を入れることを回避し、変電所などの配電設備への電力負荷集中を低減する。
【００４５】
本実施例の番組特定情報生成部６０２では、例えばＰＭＴ内の緊急情報子を利用して待機時間指定情報を書き込む。図６に示すように、ＰＭＴ内の緊急情報子には、サービスＩＤ（Ｓｅｒｖｉｃｅ  ＩＤ）６１０、エリアコード（Ａｒｅａ  Ｃｏｄｅ）６２０内に其々６ビットの情報が書き込まれていないリザーブ領域６１０ａ、４ビットの情報が書き込まれていないリザーブ領域６２０ｂが存在する。
【００４６】
本実施例では、これらの領域に待機時間指定情報を書き込む。番組特定情報生成部６０２は、例えば、放送波を受ける受信機を特定可能なＢ−ＣＡＳカードの固有ＩＤ番号等とともに待機時間を指定する情報等を書き込む。
【００４７】
このように、本実施例では放送局１側から、緊急警報放送受信対応の電気機器の再起動までの待機時間を設定し、災害発生時において電気機器が一斉に電源を入れることを回避できる。
【００４８】
次に、図７を参照して、本実施例のデジタルテレビ受信機１００における緊急警報放送受信時の流れを説明する。図７は、本実施例のデジタルテレビ受信機１００における緊急警報放送受信時の流れを示したフローチャートである。
【００４９】
デジタルテレビ受信機１００では、受信部１０に放送波のサブチャンネルを調べさせて（Ｓ１０１）、ＥＷＳ信号を検出したか否か確認する（Ｓ１０２）。ＥＷＳ信号を検出しない場合（Ｓ１０２のＮｏ）、デジタルテレビ受信機１００はＳ１０１に処理を戻す。
【００５０】
ＥＷＳ信号を検出した場合（Ｓ１０２のＹｅｓ）、デジタルテレビ受信機１００は、電源統括部１５０に接続された他の電気機器において、災害発生時に電力供給を止める対象機器と電力供給を止めておく時間（再起動までの時間）についての情報とをデータベース３３から読み出す（Ｓ１１３）。デジタルテレビ受信機１００は、災害発生時に電源を切る電気機器が設定されていれば、当該電気機器の電源を切る電源オフコマンドを電源統括部１５０に送信する（Ｓ１１４）。
【００５１】
次に、デジタルテレビ受信機１００は、出力処理部２０の電源が入っているか否か確認する（Ｓ１０５）。出力処理部２０の電源が入っている場合（Ｓ１０５のＹｅｓ）、デジタルテレビ受信機１００は、緊急警報放送を選局し（Ｓ１０９）、ＬＣＤ２５に当該放送番組を表示させる。
【００５２】
Ｓ１０５で出力処理部２０の電源が入っていないと確認した場合（Ｓ１０５のＮｏ）、デジタルテレビ受信機１００は、放送波に含まれる番組特定情報を読み出し、放送局１から出力処理部２０に電力を供給するまでの待機時間についての情報を抽出する（Ｓ１０６）。
【００５３】
次に、デジタルテレビ受信機１００は、出力処理部２０に電力を供給するまでの待機時間が経過し、且つ出力処理部２０の電源がオフとなっているか否か確認する（Ｓ１０７）。待機時間が経過し、且つ出力処理部２０の電源がオフとなっている場合（Ｓ１０７のＹｅｓ）、デジタルテレビ受信機１００は、出力処理部２０の電源を入れ（Ｓ１０８）、緊急警報放送を選局する（Ｓ１０９）。
【００５４】
Ｓ１０７で待機時間が経過していない場合、或いは出力処理部２０の電源がオンとなっている場合（Ｓ１０７のＮｏ）、デジタルテレビ受信機１００は、外部の電気機器について再起動時間が経過したか否か確認する（Ｓ１１０）。ここで、再起動時間が経過していなければ（Ｓ１１０のＮｏ）、デジタルテレビ受信機１００は、処理をＳ１０７に戻す。再起動時間が経過していれば（Ｓ１１０のＹｅｓ）、デジタルテレビ受信機１００は、当該再起動時間が設定されている対象機器の電源をいれて再起動する（Ｓ１１１）。
【００５５】
Ｓ１１１までの処理を行うと、デジタルテレビ受信機１００は、出力処理部２０の電源が入っていて、且つＳ１０３で読み出した災害発生時に電源を切る設定がなされた電気機器の再起動が全て完了したか否か確認する（Ｓ１１２）。出力処理部２０の電源が入っていない場合、或いは全ての電源を切る設定がなされた電気機器について再起動が終了していない場合（Ｓ１１２のＮｏ）、デジタルテレビ受信機１００は、処理をＳ１０７に戻す。
【００５６】
そして、出力処理部の電源が入った状態で、且つ電源を切る設定がなされた電気機器の再起動が全て終了すると（Ｓ１１２のＹｅｓ）、デジタルテレビ受信機１００は、処理を終了する。
【００５７】
以上説明したように、本実施例によれば、災害発生時における電力消費を低減することができるテレビジョン受像機、及び放送送信機を提供できる。
本実施例のデジタルテレビ受信機１００は、緊急警報信号の検出から所定時間待機した後にディスプレイの電源を入れ、当該ディスプレイに緊急警報放送を表示させる。また、緊急警報信号の検出に伴い、他の電気機器の電源を切るコマンドを送信する。これにより、災害地域の各家庭における緊急警報放送受信対応の電気機器が一斉に電源を入れることを回避し、変電所などの配電設備への電力負荷集中を低減することができる。
【００５８】
また、本実施例では、電源統括部１５０と接続する電気機器について、災害発生時に電源を切って電力供給を止めるか否かの設定、また、一度電力供給を止めてから再起動するまでの時間について設定ができる。
【００５９】
また、本実施例の放送局では、災害の規模の大きさや発生地域を考慮し、番組特定情報内に緊急警報放送受信対応の電気機器における入れ時間を分散させるための待機時間指定情報を書き込む機能を備える。これにより、放送局側から災害地域の各家庭における緊急警報放送受信対応の電気機器が一斉に電源を入れることを回避し、変電所などの配電設備への電力負荷集中を低減することができる。
【００６０】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６１】
【図１】本実施例におけるデジタルテレビ受信機１００の構成例を示す図である。
【図２】本実施例におけるデジタルテレビ受信機１００の内部構成を示したブロック図である。
【図３】本実施例におけるデータベース３３に格納された他の電気機器に関する情報を管理するテーブルである。
【図４】本実施例における電源統括部１５０の内部構成の一例を示す図である。
【図５】本実施例における放送局１の構成を簡略的に示した図である。
【図６】本実施例におけるＰＭＴ内の緊急情報子を利用した待機時間指定方法を示す図である。
【図７】本実施例におけるデジタルテレビ受信機１００における緊急警報放送受信時の流れを示したフローチャートである。
【符号の説明】
【００６２】
１・・・放送局
１０・・・受信部
１１・・・チューナ部
１２・・・通知信号検出部
１３・・・アンテナ
２０・・・出力処理部（出力手段）
２１・・・デマルチプレックス部
２２・・・音声デコーダ
２３・・・スピーカ
２４・・・映像デコーダ
２５・・・ＬＣＤ
３０・・・電源制御部
３１・・・制御部
３２・・・電源供給部
３３・・・データベース
３４・・・インタフェース部
３５・・・ネットワーク通信部
１００・・・デジタルテレビ受信機
１５０・・・電源統括部
１７０・・・主電源
【図１】
2009232363.tif 000003
【図２】
2009232363.tif 000004
【図３】
2009232363.tif 000005
【図４】
2009232363.tif 000006
【図５】
2009232363.tif 000007
【図６】
2009232363.tif 000008
【図７】
2009232363.tif 000009